(57)【要約】【課題】  取り付け対象の長尺体に応じて長さ調節が可能であり、密封性及び美観にも優れた化粧カバーを提供する。【解決手段】  化粧カバー１０は、パイプ１２の外周面を覆う複数のカバー体２０と、該カバー体２０の連結体の両端に取り付けられる蓋６０及び閉塞部材７０により構成されている。前記カバー体２０は、同様の構成のものが複数連結可能となっており、パイプ１２の長さに応じて適当数連結して使用される。カバー体２０は、全体が中空の略円筒状であって、長手方向に沿って２つの分割体２２，２４に分割可能となっている。前記カバー体２０の端部２０Ａ及び２０Ｂには、これらカバー体２０を互いに端部が重なった状態で緊密に連結するための係合部２６，３４が形成されている。また、該係合部２６及び３４には、前記蓋６０及び閉塞部材７０が、係合により取り付け可能となっている。【選択図】図１
2006002506.tif 000002
【特許請求の範囲】
【請求項１】
長尺体の周囲を覆う化粧カバーであって、
前記長尺体の長手方向に沿って設けられており、前記長尺体の外周面を覆う中空の長尺状であって、端部が互いに重なった状態で複数連結可能なカバー体，
該カバー体の内側又は端部に少なくとも一つ以上設けられており、前記長尺体を保持する保持手段，
を備えるとともに、
前記カバー体またはその連結体の少なくとも一端を閉塞したことを特徴とする化粧カバー。
【請求項２】
長尺体の周囲を覆う化粧カバーであって、
前記長尺体の長手方向に沿って設けられており、前記長尺体の外周面を覆う中空の長尺状であって、端部が互いに重なった状態で複数連結可能なカバー体，
該カバー体の内側または端部に少なくとも一つ以上設けられており、前記長尺体を保持する保持手段，
前記カバー体またはその連結体の少なくとも一方の開放端に重なった状態で、該開放端を閉塞する閉塞手段，
を備えたことを特徴とする化粧カバー。
【請求項３】
前記カバー体同士の連結，または、前記カバー体と前記閉塞手段との連結を、これらの重なり部分に形成した凹凸形状ないし段差の係合によって行うことを特徴とする請求項１又は２記載の化粧カバー。
【請求項４】
前記カバー体または閉塞手段を、前記長尺体の長手方向に沿って複数に分割可能としたことを特徴とする請求項１〜３のいずれかに記載の化粧カバー。
【請求項５】
請求項１〜４のいずれかに記載の化粧カバーで周囲を覆った長尺体を利用したことを特徴とする構造物。
【請求項６】
複数の長尺体を交差させる際に、該交差部分に対応する化粧カバーの少なくとも一方に、他の化粧カバーの外周の一部をはめ込み可能な嵌合部を設けたことを特徴とする請求項５記載の構造物。
【発明の詳細な説明】
【技術分野】
【０００１】
本発明は、足場や柵などを構成する長尺体の周囲を覆う化粧カバー及びそれを利用した構造物に関するものである。
【背景技術】
【０００２】
建設現場に架設される足場や、屋外に設置される柵やフェンスなどは、パイプ，支柱，横木などの長尺体を組み合わせて構成されている。しかしながら、これら長尺体の表面が剥き出しの状態では、雨水や日光に直接曝されて長尺体が錆びたり、周囲の美観を損ねたりするという不都合がある。このため、パイプなどの周囲を覆って、美観の向上とともに腐蝕防止なども同時に図ることができる化粧カバーないし保護カバーが、各種提案されている。
【０００３】
例えば、以下に示す特許文献１には、柵体を支持する支柱に被せる柵体用支柱の化粧カバーを、木材の長手方向の一端側から他端側の一部を残してくり抜いて形成することが記載されている。また、特許文献２には、金属筒を木目模様の合成樹脂シートで被覆し、中空部に木材を詰め、蓋を設けたことを特徴とする金属製ラッピング竹垣支柱が記載されている。更に、特許文献３には、上縁体，下縁体，連結柱，支柱からなる手摺構造において、前記上縁体，下縁体，連結柱，支柱をそれぞれ、レンガ、タイル等の焼成物からなる装飾片で被覆することが開示されている。また、該装飾片は、取り付ける対象物の長さに応じて所定数装着され、更に、長手方向に２分割される構造であることも記載されている。
【特許文献１】特開２００３−９６７３４公報
【特許文献２】実開平６−８２３３１号公報
【特許文献３】実開平２−１３４２４０号公報
【発明の開示】
【発明が解決しようとする課題】
【０００４】
しかしながら、以上のような背景技術には次のような不都合がある。まず、前記特許文献１に記載の技術では、全体がキャップ形状に形成されていることから、雨水の浸透が防止され、支柱への装着も容易であるものの、長さの調節が容易ではない。特許文献２に記載の技術についても同様に、長さの調節が容易ではないという不都合がある。特に、該特許文献２では、金属筒の上端に単純に蓋を冠着させる構造であることから、完全に雨水などの浸入を防ぐことは困難である。一方、前記特許文献３では、取り付け部位の長さに応じて装飾片の装着数を変更することにより、長さの調節が可能であるが、複数の装着片同士の平面状端部を突き合わせる構造のため、該突き合わせ部から雨水などが浸入するおそれがある。また、いずれの技術においても、下端が地中や床面などに埋め込まれることを想定して一端側のみを覆う構造となっているため、横木として使用すると他端側から支柱などの端部が見えてしまうという不都合もある。
【０００５】
本発明は、以上の点に着目したもので、その目的は、取り付け対象の長尺体に応じて長さ調節が可能であり、密封性及び美観にも優れた化粧カバー及びそれを利用した構造物を提供することである。
【課題を解決するための手段】
【０００６】
前記目的を達成するため、本発明は、長尺体の周囲を覆う化粧カバーであって、前記長尺体の長手方向に沿って設けられており、前記長尺体の外周面を覆う中空の長尺状であって、端部が互いに重なった状態で複数連結可能なカバー体，該カバー体の内側又は端部に少なくとも一つ以上設けられており、前記長尺体を保持する保持手段，を備えるとともに、前記カバー体またはその連結体の少なくとも一端を閉塞したことを特徴とする。
【０００７】
他の発明は、長尺体の周囲を覆う化粧カバーであって、前記長尺体の長手方向に沿って設けられており、前記長尺体の外周面を覆う中空の長尺状であって、端部が互いに重なった状態で複数連結可能なカバー体，該カバー体の内側または端部に少なくとも一つ以上設けられており、前記長尺体を保持する保持手段，前記カバー体またはその連結体の少なくとも一方の開放端に重なった状態で、該開放端を閉塞する閉塞手段，を備えたことを特徴とする。
【０００８】
主要な形態の一つは、前記カバー体同士の連結，または、前記カバー体と前記閉塞手段との連結を、これらの重なり部分に形成した凹凸形状ないし段差の係合によって行うことを特徴とする。他の形態は、前記カバー体または閉塞手段を、前記長尺体の長手方向に沿って複数に分割可能としたことを特徴とする。
【０００９】
本発明の構造物は、請求項１〜４のいずれかに記載の化粧カバーで周囲を覆った長尺体を利用したことを特徴とする。主要な形態の一つは、複数の長尺体を交差させる際に、該交差部分に対応する化粧カバーの少なくとも一方に、他の化粧カバーの外周の一部をはめ込み可能な嵌合部を設けたことを特徴とする。本発明の前記及び他の目的，特徴，利点は、以下の詳細な説明及び添付図面から明瞭になろう。
【発明の効果】
【００１０】
本発明は、長尺体の外周面に長手方向に沿って設けられる中空のカバー体を、端部が互いに重なった状態で複数連結可能にし、該カバー体の内側又は端部に前記長尺体を保持する保持手段を設けるとともに、前記カバー体またはその連結体の少なくとも一端を閉塞することとした。このため、取り付け対象の長尺体に応じて長さ調節ができるとともに、密封性及び美観にも優れた化粧カバーと、これを利用した各種構造物が得られるという効果がある。
【発明を実施するための最良の形態】
【００１１】
以下、本発明を実施するための最良の形態を、実施例に基づいて詳細に説明する。
【実施例１】
【００１２】
最初に、図１〜図３を参照しながら、本発明の実施例１を説明する。図１は、本実施例１の構造を示す図であり、(A)は全体構造を示す分解斜視図，(B)はカバー体同士の連結構造を示す断面図である。図２は、本実施例の連結構造を示す斜視図であり、(A)は蓋とカバー本体の連結部分，(B)はカバー体同士の連結部分，(C)はカバー体と閉塞部材の連結部分を示す図である。図３は、本実施例の交差部分を示す図であり、(A)は一方のパイプにカバー体を設ける前の状態を示す図，(B)は双方のパイプにカバー体を設けた状態を示す図である。本発明の化粧カバーは、支柱やビーム（横木）として用いられるパイプなどの長尺体一般に対して適用可能であるが、本実施例では、一例として、パイプの周囲を覆う場合について説明する。
【００１３】
図１〜図３に示すように、化粧カバー１０は、パイプ１２の外周面を覆うカバー体２０と、該カバー体２０の両端に取り付けられる蓋６０及び閉塞部材７０により構成されている。前記カバー体２０は、図１(A)には説明を容易にするために一つのみ図示されているが、実際には、図１(B)に示すように、同様の構成のものが複数連結可能となっており、パイプ１２の長さに応じて適当数連結して使用される。カバー体２０は、全体が中空の略円筒状であって、図１(A)に示すように、長手方向に沿って２つの分割体２２，２４に分割可能となっている。前記カバー体２０の端部２０Ａ及び２０Ｂ，すなわち、分割体２２及び２４の端部には、これらカバー体２０を互いに端部が重なった状態で緊密に連結するための係合部２６，３４が形成されている。
【００１４】
まず、一方の端部２０Ａ側の係合部２６は、端面２１（図２(C)参照）と該端面２１との間に所定の間隔の隙間２８を形成するように設けられたリング状の係合片３０により構成されている。該係合片３０は、外径が前記カバー体２０の外径よりも若干小さくなるように設定されている。前記係合片３０及び端面２１の略中心には、前記パイプ１２を通すための開口３２が形成されている。開口３２は、前記パイプ１２がカバー体２０内でずれないように位置決めを行う機能も兼ねており、前記パイプ１２の外径よりも、若干径が大きくなるように予め設定されている。
【００１５】
他方の端部２０Ｂ側の係合部３４は、内周縁から内側に向けて突出した２つの係合片３６及び４０により構成されている。前記係合片３６，４０は、中央にパイプ１２を通すための開口が形成された平板のリング状であって、所定の間隔の隙間３８を形成するように略平行に配置されている。該隙間３８は、他のカバー体２０の係合片３０を嵌める部分であって、図１(B)及び図２(B)に示すように、前記係合片３６，４０と、前記係合片３０の係合により、ほぼ緊密な状態で複数のカバー体２０が連結できる構成となっている。
【００１６】
以上のような係合部２６，３４を両端に有する分割体２２，２４は、基本的には同様の構成となっており、内側の中空部に、平板状リングを２分割した形状の複数の保持部４２を備えている。該保持部４２は、前記パイプ１２の外周を受けるものであって、略半円状の溝４４の径は、前記パイプ１２の外径よりも若干大きくなるように予め設定されている。このような保持部４２は、所定の間隔で複数設けられているが、カバー体２０の長さ自体が比較的短い場合には、数を減らしたり省略したりすることも可能である。
【００１７】
ところで、一方の分割体２２には、前記保持部４２の両端側であって、前記分割体２２の長手方向の縁の近傍に、他方の分割体２４を合わせて固定するための受け部４６が設けられている。該受け部４６には、前記分割体２４側から螺入されたネジ５２と螺合するためのネジ部４８が形成されている。他方の分割体２４は、前記受け部４６と対応する位置にネジ５２を差し込むための溝５０が形成されている。このため、前記分割体２２の受け部４６と、分割体２４の溝５０の位置を合わせ、溝５０から入れたネジ５２を受け部４６のネジ部４８と螺合することにより、分割体２２及び２４を合わせて固定し、カバー体２０を形成することが可能となる。
【００１８】
次に、蓋６０について説明する。蓋６０は、カバー体２０の端部２０Ｂ側を閉塞するものであって、円板６２の一方の面に略円形の凸部６４を設けて段差を形成した一体構造となっている。すなわち、全体としては、径の異なる２つの円板を重ね合わせたような形状である。前記円板６２は、カバー体２０の係合部３４の隙間３８に収納可能な大きさとなっており、前記略円形の凸部６４は、前記係合片４０の開口部とほぼ同一径となるように設定されている。また、前記円板６２の他方の面には、略十字状のつまみ６６が設けられている。従って、前記凸部６４が、カバー体２０の外側を向くように蓋６０を係合部３４に収納すると、係合片３６及び４０と、円板６２の係合により、カバー体端部２０Ｂが閉塞され、パイプ１２の端部が外部から隠れる。なお、前記つまみ６６は、前記パイプ１２の内側に収納可能な寸法となっている。
【００１９】
カバー体２０の他方の端部２０Ａに取り付けられる閉塞部材７０は、全体が中空状の略円筒状であって、本実施例では、前記カバー体２０よりも長さが短くなっている。このような閉塞部材７０は、全体が長手方向に沿って２つの分割体７２及び７４に分割可能となっており、両端には、前記カバー体２０の端部２０Ｂと同様の係合部３４がそれぞれ設けられている。また、前記分割体７２には、前記カバー体２０の分割体２２と同様の受け部４６が設けられ、他方の分割体７４には、前記カバー体２０の分割体２４と同様の溝５０が形成されている。このような閉塞部材７０は、一方の係合部３４を、前記カバー体２０の端部２０Ａに係合させ、他方の係合部３４に、上述した蓋６０と同様のものを係合させることにより、カバー体２０の端部２０Ａ側を閉塞することが可能となっている。なお、本実施例では、閉塞部材７０の両端に係合部３４を設け、その一方を蓋６０で塞ぐこととしたが、一方の端部を予め平面状の端面で塞いだ構造としても、同様の効果が得られる。もちろん、複数利用するカバー体２０のうちの一つの端部２０Ａを、略平面状の端面で塞いだ構造とし、これを閉塞部材７０の代わりに利用することも可能である。以上のようなカバー体２０，蓋６０，閉塞部材７０は、例えば、プラスチック（ポリエチレンなど）を利用して射出成形により形成される。
【００２０】
次に、本実施例の作用を説明する。化粧カバー１０を取り付けるパイプ１２の長さに応じて、所定数のカバー体２０と、蓋６０及び閉塞部材７０を用意する。まず、一つの分割体２２の係合部３４に、上述した蓋６０のほぼ半分を収納したのち、分割体２４を重ねてネジ５２と受け部４６を螺合し、分割体２２及び２４を組み合わせて固定する。このように、一つのカバー体２０に蓋６０を取り付けたら、該カバー体２０の開放した端部２０Ａをパイプ１２に通す。そして更に、開放した端部２０Ａ側の係合部２６に、他の分割体２２，２４の係合部２４を係合させて、ネジ５２により固定する。このような手順を繰り返し、パイプ１２のほぼ全体を覆ったら、最後に、予め蓋６０を係合部３４に収納した閉塞部材７０の一方の分割体７２を、カバー体２０の開放した端部２０Ａに取り付け、更に、他方の分割体７２を重ねてネジ５２で固定する。以上の手順により、パイプ１２を完全に化粧カバー１０内に収納することが可能になる。なお、ここでは、パイプ１２の長さに合わせてカバー体２０を一つずつ連結していくこととしたが、予め所定数の分割体２２,２４同士を係合させておき、これらをネジ５２で固定するようにしてもよい。
【００２１】
また、交差するパイプ１２に化粧カバー１０を設ける場合には、交差部分の一方の化粧カバー１０に、予め他の化粧カバー１０の一部を嵌合可能な形状の嵌合部を形成しておくようにするとよい。例えば、図３(A)に示す例では、パイプ１２の交差部分１４がジョイント１６により連結される構造となっている。このような場合には、図３(A)に示すように、一方の化粧カバー１０のカバー体２０に、他方のカバー体２０の一部を嵌合可能な溝５６（ないし切れ込み）を形成すると、図３(B)に示すように、他方のパイプ１２の化粧カバー１０を設けた場合に、仕上がりよく組み立てることができる。更に、パイプ１２の一端が地中や床面などに埋設してある場合には、蓋６０または閉塞部材７０のいずれかの取り付けを省略するようにしてもよい。
【００２２】
このように、実施例１によれば、次のような効果がある。
(1)パイプ１２の外周面に長手方向に沿って設けられる中空のカバー体２０を、端部２０Ａ及び２０Ｂが互いに係合した状態で複数連結可能とし、該カバー体２０の内部に設けた保持部４２によってパイプ１２を受けるとともに、蓋６０及び閉塞部材７０によって、前記カバー体２０の連結体の両端を閉塞することとした。このため、パイプ１２の長さに応じて化粧カバー１０の長さ調節が可能になるとともに、密封性及び美観の向上を図ることができる。
(2)前記カバー体２０を、長手方向に沿って分割可能としたので、パイプ１２の任意の位置から取り付けが可能となり、作業性がよい。
(3)カバー体２０同士の交差部分に、必要に応じて溝５６ないし切れ込みを形成することとしたので、仕上がりよく組み立てることができる。
(4)カバー体２０の内側に複数の保持部４２を設けることとしたので、化粧カバー２０内でのパイプ１２の位置ずれを防止することができる。
【実施例２】
【００２３】
次に、図４を参照しながら本発明の実施例２を説明する。図４は、本実施例２の構成を示す図であり、(A)は分解斜視図，(B)は前記(A)を＃Ａ−＃Ａ線に沿って切断し矢印方向に見た断面図である。なお、上述した実施例に対応する構成要素には、同一の符号を用いることとする（以下の実施例についても同様）。上述した実施例１では、カバー体２０を２つの分割体２２及び２４に分割可能な構成としたが、本実施例は、カバー体を一体構造としたものである。
【００２４】
図４に示すように、本実施例の化粧カバー１００は、複数のカバー体１０２と、該カバー体１０２の連結体の端部に取り付けられる蓋１２０により構成されている。前記カバー体１０２は、同様の構成のものが複数連結可能となっており、パイプ１２の長さに応じて適当数連結して使用される。カバー体１０２は、全体が中空の略円筒状であって、図４に示すように、一方の端部１０２Ａ側の外周面には、周方向に形成された凹部１０４を境にして、先端に向けて径が小さくなるテーパ１０６が形成されている。また、端部１０２Ａ側の端面１０３Ａには、パイプ１２を通すための開口１０８が形成されている。該開口１０８は、カバー体１０２内部でのパイプ１２の位置ずれを防止する機能も兼ねている。
【００２５】
一方、他方の端部１０２Ｂには、前記テーパ１０６側の凹部１０４と嵌合する凸部１１０が、内周に沿って設けられている。このような凸部１１０は、例えば、図４(B)に示すように、端部１０２Ｂ側を、カットライン１１２に沿って切り落とすことにより形成される。そして、一つのカバー体１０２の端部１０２Ｂ側から、他のカバー体１０２の端部１０２Ａのテーパ１０６の部分を挿入することにより、凹部１０４と凸部１１０が嵌合して連結可能となっている。このため、カバー体１０２としては、若干変形が可能な弾性を有する材料を利用することが望ましい。
【００２６】
前記カバー体１０２を複数連結した連結体の一方の端部１０２Ａ側には、蓋１２０が設けられる。該蓋１２０は、前記カバー体１０２をカットライン１１２に沿って切り落としたときの端部１０２Ｂ側の部材である。すなわち、一端が端面１０３Ｂによって閉塞した略円筒状であって、開放端の内周縁には、前記カバー体１０２の凸部１１０と同様の凸部１２２が、周方向に形成された構造となっている。更に、前記カバー体１０２の連結体の他方の端部１０２Ｂ側には、必要に応じて、端面１０３Ｂを切り落としていないカバー体１０２が設けられ、内部のパイプ１２が外部から見えるのを防止している。前記端面１０３Ｂには、例えば、木の切り口の模様や、竹の切り口のような模様を設けるようにしてもよい。以上のような、カバー体１０２は、例えば、ブロー成形などにより一体に形成される。なお、必要に応じて、前記カバー体１０２の内側に、前記実施例１の保持部４２と同様の構成の保持部１１４を適宜間隔で設け、パイプ１２のぶれを防止するようにしてもよい。
【００２７】
次に、本実施例の作用を説明する。化粧カバー１００を取り付けるパイプ１２の長さに応じて、所定数のカバー体１０２を用意する。そして、複数のカバー体１０２を、凹部１０４と凸部１１０の嵌合により互いに連結して、パイプ１２に装着し、最後に連結体の一方の端部１０２Ａに蓋１２０を装着し、他方の端部１０２Ｂに、端面１０３Ｂを備えた他のカバー体１０２を装着する。これにより、パイプ１２全体を容易に覆うことができる。なお、パイプ１２の交差部分を覆う場合には、上述した実施例１と同様に、化粧カバー１０２に予め切れ込みや溝などを形成しておくようにするとよい。また、本実施例では、予め所定数のカバー体１０２を連結してからパイプ１２に装着することとしたが、パイプ１２に通したカバー体１０２を一つずつ連結するようにしてもよい。
【００２８】
このように、実施例２によれば、上述した実施例の効果に加え、次のような効果がある。
(1)カバー体１０２同士の連結，カバー体１０２と蓋１２０の連結を、凹部１０４と凸部１１０（ないし凸部１２２）の嵌合により行うこととしたので、長さ調節が可能であるとともに、容易に組み立てを行うことができる。
(2)カバー体１０２の端部１０２Ｂ側の切り落としの有無により、該カバー体１０２を閉塞部材及び蓋１２０としても利用することができるため、パイプ１２のカバーに必要な部品の種類を減らすことができる。
【００２９】
なお、本発明は、上述した実施例に限定されるものではなく、本発明の要旨を逸脱しない範囲内において種々変更を加え得ることができる。例えば、以下のものも含まれる。
(1)上述した実施例の材質は一例であり、必要に応じて、各種の公知の材質を利用することができる。色彩や模様，大きさ，形状についても同様に、必要に応じて適宜変更してよい。例えば、カバー体の外周面に、木の枝や幹のような模様や竹の節のような凹凸を設けたり、蓋ないし閉塞部材の端面を木や竹の切り口のような模様にしたりすることにより、美観の向上を図ることができる。また、例えば、図５(B)に示すように、前記実施例１の化粧カバー１０の蓋６０及び閉塞部材７０を透明な材料を用いて形成し、パイプ１２の内側に設けた電球の明かりにより両端が発光するようにしても、装飾効果が得られる。
【００３０】
(2)前記実施例で示した保持部４２の形状，大きさ，取付数，配置も一例であり、必要に応じて適宜変更してよい。例えば、パイプ１２の替わりに角材などを覆う場合には、保持部４２の溝４４を、角型にするなどである。
【００３１】
(3)前記カバー体の連結数は一例であり、取付対象とする長尺体に応じてその連結数を適宜増減してよい。また、蓋や閉塞部材も、必ずしも両方を設ける必要はなく、設置場所に応じていずれか一方のみを利用するようにしてよい。
【００３２】
(4)前記実施例で示した組み立て手順も一例であり、同様の効果を奏するように適宜変更してよい。例えば、前記実施例２では、カバー体１０２を複数連結した後に蓋１２０を取り付けることとしたが、予め蓋１２０を取り付けたカバー体１０２や、端面１０３Ｂを残した閉塞構造のカバー体１０２をパイプ１２などに取り付けた後、順次、他のカバー体１０２を連結するようにしてもよい。
【００３３】
(5)本発明の化粧カバーは、円筒状のパイプ１２の周囲を覆うことに限定されるものではなく、角管や形鋼，各種材質からなる支柱や横木など、各種の長尺体に適用可能である。
【００３４】
(6)本発明の化粧カバーで周囲を覆った長尺体を組み合わせて、各種用途に応じた形状，大きさの構造物を形成するようにしてもよい。例えば、図５(A)に示す柵１３０は、化粧カバーを設けた一対の支柱１３２の上端に横木（ビーム）１３４を設けたものである。また、図５(C)に示す柵１４０は、化粧カバーを設けた支柱１４２を適宜間隔で配置し、その上端にロープ１４４ないしチェーンを架け渡したものである。図５(D)の看板１５０は、化粧カバーを設けた支柱１５２に、枝１５４を取り付け、該枝１５４からウェルカムボード１５６を吊り下げたものである。図５(E)の案内１６０は、同じく化粧カバーを設けた支柱１６２に、案内板１６４を取り付けたものである。また、図５(F)の看板１７０は、化粧カバーを設けた一対の支柱１７２と横木１７４により組み立てられた枠内に、案内板１７６を取り付けたものである。更に、図５(G)の囲い１８０は、化粧カバーを設けた４本の支柱１８２を立設し、その上端に４本の横木１８４を設けた構造となっている。これらの構造物のうち、地中などに埋設される部分については、必要に応じて蓋ないし閉塞部材を設けるようにすればよい。このほか、建築現場に架設される足場を組むためのパイプや、屋外などに設けられる柵やフェンスを構成する長尺体の周囲を覆う用途に適用してよい。
【００３５】
(7)前記実施例１で示した分割体２２及び２４の組み立て機構や、カバー体２０の端部の係合機構，前記実施例２で示したカバー体１０２同士の連結機構も一例であり、同様の効果を奏するように、適宜設計変更してよい。
【産業上の利用可能性】
【００３６】
本発明によれば、長尺体の外周面に長手方向に沿って設けられる中空のカバー体を、端部が互いに重なった状態で複数連結可能にし、該カバー体の内側又は端部に前記長尺体を保持する保持手段を設けるとともに、前記カバー体またはその連結体の少なくとも一端を閉塞することとした。このため、長さ調節ができるとともに、美観及び密封性にも優れているため、各種長尺体の化粧カバーの用途に適用可能である。特に、各種構造物を構成する長尺体の化粧カバーの用途に好適である。
【図面の簡単な説明】
【００３７】
【図１】本発明の実施例１を示す図であり、(A)は全体構成を示す分解斜視図，(B)はカバー体同士の連結構造を示す断面図である。
【図２】前記実施例１の連結構造を示す斜視図であり、(A)は蓋とカバー体の連結部分，(B)はカバー体同士の連結部分，(C)はカバー体と閉塞部材の連結部分を示す図である。
【図３】前記実施例１の交差部分を示す斜視図である。
【図４】本発明の実施例２を示すであり、(A)は全体構成を示す分解斜視図，(B)は前記(A)を＃Ａ−＃Ａ線に沿って切断した断面図である。
【図５】本発明の他の実施例を示す図である。
【符号の説明】
【００３８】
１０：化粧カバー
１２：パイプ
１４：交差部分
１６：ジョイント
２０：カバー体
２０Ａ，２０Ｂ：端部
２１：端面
２２，２４：分割体
２６，３４：係合部
２８：隙間
３０：係合片
３２：開口
３６，４０：係合片
３８：隙間
４２：保持部
４４：溝
４６：受け部
４８：ネジ部
５０：溝
５２：ネジ
５６：溝
６０：蓋
６２：円板
６４：凸部
６６：つまみ
７０：閉塞部材
７２，７４：分割体
１００：化粧カバー
１０２：カバー体
１０２Ａ，１０２Ｂ：端部
１０３Ａ，１０３Ｂ：端面
１０４：凹部
１０６：テーパ
１０８：開口
１１０：凸部
１１２：カットライン
１１４：保持部
１２０：蓋
１２２：凸部
１３０，１４０：柵
１３２，１４２，１５２，１６２，１７２，１８２：支柱
１３４，１７４，１８４：横木
１４４：ロープ
１５０，１７０：看板
１５４：枝
１５６：ウェルカムボード
１５６，１７６：看板
１６０：案内
１６４，１７６：案内板
１８０：囲い
【図１】
2006002506.tif 000003
【図２】
2006002506.tif 000004
【図３】
2006002506.tif 000005
【図４】
2006002506.tif 000006
【図５】
2006002506.tif 000007